(57)【特許請求の範囲】
【請求項１】
光路用であり円形の第１開口部を有する地板と、前記第１開口部と対応した位置において前記第１開口部よりも大きい第２開口部を有する平板状部材と、前記平板状部材に隣接して配置され前記第１開口部を覆う作動位置と前記第１開口部から後退した後退位置との間を回動する羽根部材と、所定位置を中心に前記羽根部材を回動させる駆動源を含む、カメラ用羽根駆動装置であって、
前記羽根部材は、前記第１開口部よりも大きい外縁部を有し、
前記第２開口部は、前記羽根部材が前記作動位置から前記後退位置に回動する際に、前記外縁部と鋏状に交差しつつ相対的に移動する内縁部を有するように形成され、
前記平板状部材は、前記地板と平行に配置されて前記羽根部材を収容する羽根室を画定すると共に前記第２開口部を有する仕切板を含み、
前記仕切板の第２開口部は、前記第１開口部よりも大きい曲率半径をなす円弧状内縁部と、前記円弧状内縁部よりも大きい曲率半径にて前記円弧状内縁部の両端に連続すると共に先細りにて閉じる略Ｖ字状内縁部とを含むように形成され、
前記羽根部材は、前記略Ｖ字状内縁部の側から前記作動位置に向けて移動し、
前記羽根部材の外縁部には、該羽根部材が前記作動位置にある状態で前記略Ｖ字状内縁部と対向する側に、前記仕切板の第２開口部の円弧状内縁部と略同一の曲率半径をなす円弧状外縁部が形成されている、ことを特徴とするカメラ用羽根駆動装置。
【請求項２】
前記羽根部材は、少なくとも前記第１開口部を覆う有効領域から自由端側の領域に亘って平板状のＮＤフィルタのみで成形されたＮＤフィルタ羽根である、
ことを特徴とする請求項１に記載のカメラ用羽根駆動装置。
【請求項３】
前記羽根部材は、前記第１開口部を開閉するシャッタ羽根、又は、前記第１開口部よりも小さい口径をなす第３開口部を有する絞り羽根である、
ことを特徴とする請求項１に記載のカメラ用羽根駆動装置。
【請求項４】
前記地板は、略円形の主外輪郭部と、前記羽根部材が前記後退位置に位置するとき前記羽根部材の前記円弧状外縁部を覆うように前記主外輪郭部から突出した凸状外輪郭部を含むように形成されている、
ことを特徴とする請求項１ないし３いずれか一つに記載のカメラ用羽根駆動装置。
【発明の詳細な説明】
【技術分野】
【０００１】
本発明は、カメラにおける光量を調節する羽根部材（シャッタ羽根、絞り羽根、ＮＤフィルタ羽根等）を備えたカメラ用羽根駆動装置に関し、特に、開口部に臨む位置と開口部から後退した位置との間を揺動して光量を調節するＮＤフィルタ羽根を備えたカメラ用羽根駆動装置に関する。
【背景技術】
【０００２】
従来のカメラ用羽根駆動装置としては、光路用の円形の開口部を有する地板、地板と平行に配置されると共に光路用の円形の開口部を有する中間板、中間板と平行に配置されると共に光路用の円形の開口部を有するカバー板、地板と中間板との間に配置されて開口部に臨む位置と開口部から後退した位置との間を移動する２枚のシャッタ羽根、中間板とカバー板の間に配置されて開口部に臨む位置と開口部から後退した位置との間を移動する１枚のフィルタ羽根、シャッタ羽根及びフィルタ羽根をそれぞれ駆動するべく地板に設けられた電磁アクチュエータ等を備え、フィルタ羽根を、中間板及びカバー板の開口部よりも大きい内径をなす円形の開口部を有する補強羽根と、その開口部を覆うよう補強羽根に貼り付けられたＮＤフィルタ板により構成し、フィルタ羽根の外輪郭を中間板及びカバー板の開口部よりも十分大きく形成したものが知られている（例えば、特許文献１を参照）。
この装置においては、フィルタ羽根が中間板及びカバー板の開口部に対して十分大きく（幅広く）形成されているため、フィルタ羽根が連続的に作動させられる際の慣性力又は電磁アクチュエータの駆動力等により、フィルタ羽根が撓んでオーバランした場合でも、フィルタ羽根の外縁部が中間板及びカバー板の開口部の内縁部に衝突し、外縁部及び内縁部同士の引っ掛かりや絡まりによる作動不良という事態は生じ難い。
【０００３】
しかしながら、近年のカメラ等における小型化、幅狭化等の要求に応じて、上記構成のまま、フィルタ羽根の外輪郭を円弧状に小さく形成して中間板及びカバー板の円形の開口部に近づけると、その外縁部が中間板及びカバー板の開口部の内縁部に衝突する虞があり、それ故に、このような従来の構成のままで、フィルタ羽根（羽根部材）の幅狭化、小型化等を図るのは困難であった。
【先行技術文献】
【特許文献】
【０００４】
【特許文献１】特開２００５−３３８６９１号公報
【発明の概要】
【発明が解決しようとする課題】
【０００５】
本発明は、上記の事情に鑑みて成されたものであり、その目的とするところは、近年のカメラの薄型化、小型化、高機能化等の要求に対応するべく、羽根部材の外輪郭が占める占有面積をできるだけ小さくして、全体として、小型化、薄型化、軽量化、低コスト化等を図りつつ、羽根部材が隣接する中間板、カバー板、仕切板等の開口部（の内縁部）に対する羽根部材（の外縁部）の衝突、引っ掛かり、絡まり等を防止して、羽根部材（ＮＤフィルタ羽根、シャッタ羽根、絞り羽根等）を安定して作動させることのできるカメラ用羽根駆動装置を提供することにある。
【課題を解決するための手段】
【０００６】
本発明のカメラ用羽根駆動装置は、第１開口部を有する地板と、第１開口部と対応した位置において第１開口部よりも大きい第２開口部を有する平板状部材と、平板状部材に隣接して配置され第１開口部を覆う作動位置と第１開口部から後退した後退位置との間を回動する羽根部材と、所定位置を中心に羽根部材を回動させる駆動源を含む、カメラ用羽根駆動装置であって、羽根部材は、第１開口部よりも大きい外縁部を有し、第２開口部は、羽根部材が作動位置から後退位置に回動する際に、外縁部と鋏状に交差しつつ相対的に移動する内縁部を有するように形成されている、ことを特徴としている。
上記構成において、内縁部は、羽根部材が動作位置から後退位置に回動する際、および羽根部材が後退位置から動作位置に回動する際に、外縁部と鋏状に交差しつつ相対的に移動する、構成を採用することができる。
【０００７】
上記構成において、第１開口部は、光路用の円形開口部であり、平板状部材は、地板と平行に配置されて羽根部材を収容する羽根室を画定すると共に第２開口部を有する仕切板を含み、仕切板の第２開口部は、円形開口部よりも大きい曲率半径をなす円弧状内縁部と、円弧状内縁部よりも大きい曲率半径にて円弧状内縁部の両端に連続すると共に先細りにて閉じる略Ｖ字状内縁部を含むように形成され、羽根部材は、略Ｖ字状内縁部の側から作動位置に向けて移動すると共に、外縁部が所定の曲率半径をなす円弧状に形成されている、構成を採用することができる。
【０００８】
上記構成において、羽根部材の外縁部は、仕切板の第２開口部の円弧状内縁部と略同一の曲率半径をなすように形成されている、構成を採用することができる。
【０００９】
上記構成において、羽根部材は、少なくとも第１開口部を覆う有効領域から自由端側の領域に亘って平板状のＮＤフィルタのみで成形されたＮＤフィルタ羽根である。
【００１０】
上記構成において、羽根部材は、第１開口部を開閉するシャッタ羽根又は第１開口部よりも小さい口径をなす第３開口部を有する絞り羽根である、構成を採用することができる。
【００１１】
上記構成において、地板は、略円形の主外輪郭部と、羽根部材が後退位置に位置するとき羽根部材の外縁部を覆うように主外輪郭部から突出した凸状外輪郭部を含むように形成されている。
【発明の効果】
【００１２】
上記構成をなすカメラ用羽根駆動装置によれば、羽根部材の外輪郭が占める占有面積を小さくして、全体として、小型化、薄型化、軽量化、低コスト化等を達成しつつ、羽根部材が隣接する平板状部材（中間板、カバー板、仕切板等）の開口部（の内縁部）に対する羽根部材（の外縁部）の衝突、引っ掛かり、絡まり等を防止して、羽根部材（ＮＤフィルタ羽根、シャッタ羽根、絞り羽根等）を安定して作動させることのでき、近年の薄型化、小型化、高機能化等が要求されるカメラに適したカメラ用羽根駆動装置を得ることができる。
【図面の簡単な説明】
【００１３】
【図１】本発明に係るカメラ用羽根駆動装置の一実施形態を示す分解斜視図である。
【図２】図１に示すカメラ用羽根駆動装置において、羽根部材（ＮＤフィルタ羽根）が地板の円形開口部から後退した後退位置に位置する状態を示す平面図である。
【図３】図１に示すカメラ用羽根駆動装置において、羽根部材（ＮＤフィルタ羽根）が地板の円形開口部に臨む作動位置に位置する状態を示す平面図である。
【図４】図１に示すカメラ用羽根駆動装置に含まれる平板状部材（仕切板）を示す平面図である。
【図５】図１に示すカメラ用羽根駆動装置に含まれる羽根部材としてのＮＤフィルタ羽根を示す平面図である。
【図６】図１に示すカメラ用羽根駆動装置において、羽根部材（ＮＤフィルタ羽根）と平板状部材（仕切板）の開口部との関係を示す動作図であり、（ａ）は羽根部材（ＮＤフィルタ羽根）が開口部に臨む作動位置に位置する状態を示す平面図、（ｂ）は羽根部材（ＮＤフィルタ羽根）が後退位置に向けて僅かに移動した状態を示す平面図である。
【図７】図１に示すカメラ用羽根駆動装置において、羽根部材（ＮＤフィルタ羽根）と平板状部材（仕切板）の開口部との関係を示す動作図であり、（ｃ）は羽根部材（ＮＤフィルタ羽根）が図６（ｂ）に示す状態からさらに後退位置に向けて移動した状態を示す平面図、（ｄ）は羽根部材（ＮＤフィルタ羽根）がさらに後退位置に向けて移動した状態を示す平面図である。
【図８】図１に示すカメラ用羽根駆動装置における組付け手順を示すものであり、（ａ）は地板に対して一つの仕切板が組み付けられた状態を示す平面図、（ｂ）は一つの仕切板の上から羽根部材（ＮＤフィルタ羽根）が組み付けられた状態を示す平面図である。
【図９】図１に示すカメラ用羽根駆動装置における組付け手順を示すものであり、（ｃ）は羽根部材（ＮＤフィルタ羽根）の上から他の仕切板が組み付けられた状態を示す平面図、（ｄ）は他の仕切板の上から裏板が組み付けられた状態を示す平面図である。
【図１０】図１に示すカメラ用羽根駆動装置に含まれる羽根部材の他の実施形態を示すものであり、（ａ）は羽根部材としてのシャッタ羽根を示す平面図、（ｂ）は羽根部材としての絞り羽根を示す平面図である。
【発明を実施するための形態】
【００１４】
以下、本発明の実施形態について、添付図面を参照しつつ説明する。
この実施形態に係るカメラ用羽根駆動装置は、図１に示すように、略円板状の地板１０、地板１０の平行に配置される裏板２０、地板１０と裏板２０の間に配置される平板状部材としての二つの仕切板３０，３０、二つの仕切板３０，３０の間に配置される羽根部材としてのＮＤフィルタ羽根４０、地板１０に設けられた駆動源としての電磁アクチュエータ５０（ロータ５１、ヨーク５２、コイル５３、ボビン一体型の押え板５４等）等を備えている。
【００１５】
地板１０は、図１、図２、図３に示すように、光路用の円形開口部１０ａ、ロータ５１を回動自在に支持する支軸１０ｂ、ロータ５１の駆動ピン５１ａを移動可能に通す扇状の貫通孔１０ｃ、押え板５４を固定するための固定部１０ｄ、仕切板３０，３０を位置決めする位置決め突起１０ｅ、ＮＤフィルタ羽根４０を揺動自在に支持する支軸１０ｆ、ＮＤフィルタ羽根４０を開口部１０ａから後退した後退位置と開口部１０ａに臨む作動位置にそれぞれ停止させるストッパ１０ｇ，１０ｈ、裏板２０を位置決めする位置決め突起１０ｉ、裏板２０を組み付けるための掛止部１０ｊ、裏板２０を締結するべくネジＢを捩じ込むネジ穴１０ｋ等を備えている。
また、地板１０は、略円形の主外輪郭部１０ｍと、ＮＤフィルタ羽根４０が後退位置に位置するときＮＤフィルタ羽根４０の後側外縁部４０ｂを覆うように主外輪郭部１０ｍから突出した凸状外輪郭部１０ｎを含むように形成されている。
【００１６】
裏板２０は、図１、図２、図３に示すように、地板１０と略同一外輪郭をなすように形成され、円形開口部１０ａよりも大きい内径をなす円形開口部２０ａ、位置決め突起１０ｅを通す孔２０ｂ、支軸１０ｆを通す孔２０ｃ、ストッパ１０ｇ，１０ｈを通す孔（又は切り欠き）２０ｄ、位置決め突起１０ｉを通す孔２０ｅ、地板１０の掛止部１０ｋにスナップフィットにより掛止される掛止片２０ｊ、ネジＢを通す貫通孔２０ｋ等を備えている。
また、裏板２０は、略円形の主外輪郭部２０ｍと、ＮＤフィルタ羽根４０が後退位置に位置するときＮＤフィルタ羽根４０の後側外縁部４０ｂを覆うように主外輪郭部２０ｍから突出した凸状外輪郭部２０ｎを含むように形成されている。
そして、裏板２０は、二つの仕切板３０，３０、ＮＤフィルタ羽根４０が組み込まれた後に、全体を覆うようにして地板１０に組み付けられ、ネジＢにより締結されるようになっている。
【００１７】
二つの仕切板３０，３０は、図１及び図４に示すように、略円板状に形成され、略中央領域において円形開口部１０ａよりも大きく開口された開口部３０ａ、位置決め突起１０ｅを通す孔３０ｂ、支軸１０ｆを通す孔３０ｃ、ストッパ１０ｇ，１０ｈを通す孔３０ｄ、位置決め突起１０ｉを通す孔３０ｅ、その他の孔や切り欠き等を備えている。
開口部３０ａは、図４に示すように、円形開口部１０ａよりも大きい曲率半径をなす円弧状内縁部３０ａ´と、円弧状内縁部３０ａ´よりも大きい曲率半径にて円弧状内縁部３０ａ´の両端に連続すると共に先細りにて（直線Ｌ上にて）閉じる略Ｖ字状内縁部３０ａ´´を含むように形成されている。
【００１８】
また、開口部３０ａの略Ｖ字状内縁部３０ａ´´は、ＮＤフィルタ羽根４０が作動位置に位置するとき、図４に示すように、ＮＤフィルタ羽根４０の後側外縁部４０ｂが開口部３０ａの内側領域への入り込むのを許容するように形成され、ＮＤフィルタ羽根４０が作動位置から後退位置に移動する際に、ＮＤフィルタ羽根４０の後側外縁部４０ｂと鋏状に交差しつつ相対的に移動するように形成されている。
尚、二つの仕切板３０，３０のうち、地板１０から離れた側に配置される仕切板３０の開口部３０ａは、光の屈折、回折、必要口径等の光学的特性の関係上、地板１０に近い側に配置される仕切板３０の開口部３０ａよりも若干大きく相似形状に開口して形成されている。
【００１９】
ＮＤフィルタ羽根４０は、図５（ａ），（ｂ）に示すように、ＮＤフィルタ４１と、ＮＤフィルタ４１の片面に接合された補強板４２により構成され、開口部３０ａ（及び円形開口部１０ａ）に向かう側に位置する前側外縁部４０ａ、前側外縁部４０ａと反対側に位置する後側外縁部４０ｂを含むように形成されている。
ＮＤフィルタ４１は、ＮＤフィルタ材料を用いて薄板状（０．０５ｍｍ〜０．１ｍｍ程度の厚さ）に形成され、少なくとも円形開口部１０ａ（図５（ａ），（ｂ）において二点鎖線で示す円）を覆う有効領域から自由端側の領域に亘って形成されている。
また、ＮＤフィルタ４１は、殆んど色の変化を生じることなく光量を減少させる光学濃度フィルタであり、ＮＤとは、Ｎｅｕｔｒａｌ  Ｄｅｎｓｉｔｙの略である。
補強板４２は、ＮＤフィルタ羽根４０が開口部３０ａ及び円形開口部１０ａから後退した後退位置と開口部３０ａ及び円形開口部１０ａに臨む作動位置との間を移動する際に、円形開口部１０ａに入り込まない輪郭に形成されると共に、地板１０の支軸１０ｆを通す支軸孔４２ａ、ロータ５１の駆動ピン５１ａを挿入する駆動孔４２ｂ等を備えている。
【００２０】
さらに、図４に示すように、ＮＤフィルタ羽根４０の前側外縁部４０ａは略直線状に形成され、ＮＤフィルタ羽根４０の後側外縁部４０ｂは、所定の曲率半径をなす円弧状に、ここでは、仕切板３０の開口部３０ａの円弧状内縁部３０ａ´と略同一の（近似した）曲率半径をなすように形成されている。尚、後側外縁部４０ｂの曲率半径を適宜選択することにより、ＮＤフィルタ羽根４０を最適な状態で幅狭化、小型化することができる。
【００２１】
上記構成をなすＮＤフィルタ羽根４０は、二つの仕切板３０，３０の間に配置されて、地板１０の支軸１０ｆを支軸孔４２ａに通して揺動自在に支持されると共に、ロータ５１の駆動ピン５１ａを駆動孔４２ｂに通すことで駆動力が及ぼされ、図２に示すように円形開口部１０ａ（及び開口部３０ａ）から後退した後退位置と図３に示すように円形開口部１０ａ（及び開口部３０ａ）に臨む作動位置との間を移動するようになっている。
このように、ＮＤフィルタ羽根４０の少なくとも（円形開口部１０ａを覆う）有効領域から自由端側の領域を平板状のＮＤフィルタ４１のみで形成するため、従来のように有効領域の周りを補強板で環状に補強する場合に比べて外輪郭を小さくでき、それ故に、ＮＤフィルタ羽根４０の小型化、薄型化、軽量化、低コスト化等を達成することができる。
【００２２】
ここで、仕切板３０（の開口部３０ａ）とＮＤフィルタ羽根４０（の前側外縁部４０ａ及び後側外縁部４０ｂ）との相対的な移動関係について説明すると、ＮＤフィルタ羽根４０が図２に示す退避位置から図３に示す作動位置に移動する際に、前側外縁部４０ａは、開口部３０ａの略Ｖ字状内縁部３０ａ´´に部分的に臨んだ（入り込んだ）状態から円弧状内縁部３０ａ´を通過すると共に、後側外縁部４０ｂは、開口部３０ａの略Ｖ字状内縁部３０ａ´´に臨む（入り込む）ように移動する。
この移動過程において、直線状をなす前側外縁部４０ａは、開口部３０ａの内縁部（略Ｖ字状内縁部３０ａ´´、円弧状内縁部３０ａ´）と常に鋏状に交差する角度をなして移動するため、前側外縁部４０ａが開口部３０ａの内縁部（特に、円弧状内縁部３０ａ´）に衝突して引っ掛かりや絡まりを生じるのを防止でき、円滑な動作が保証される。
【００２３】
一方、ＮＤフィルタ羽根４０が、連続的な移動や駆動源の過駆動力によりオーバラン（過移動）した後に戻る場合、又は、作動位置から後退位置に向けて移動する場合には、図６（ａ），（ｂ）及び図７（ａ），（ｂ）、図２に示すように、後側外縁部４０ｂは、開口部３０ａの略Ｖ字状内縁部３０ａ´´から外側に後退する（外れる）と共に、前側外縁部４０ａは、開口部３０ａの円弧状内縁部３０ａに臨み（入り込み）、続いて、開口部３０ａの略Ｖ字状内縁部３０ａ´´に臨むように移動する。
この移動過程において、直線状をなす前側外縁部４０ａは、開口部３０ａの内縁部（略Ｖ字状内縁部３０ａ´´、円弧状内縁部３０ａ´）と常に鋏状に交差する角度をなして移動し、特に、円弧状をなす後側外縁部４０ｂは、開口部３０ａの略Ｖ字状内縁部３０ａ´´と（平行にならず）常に鋏状に交差する角度をなして後退移動するため、ＮＤフィルタ羽根４０の後側外縁部４０ｂが開口部３０ａの略Ｖ字状内縁部３０ａ´´に衝突して引っ掛かりや絡まりを生じるのを防止でき、円滑な動作を保証することができる。
【００２４】
このように、特に、ＮＤフィルタ羽根４０の後側外縁部４０ｂが、開口部３０ａの内縁部（略Ｖ字状内縁部３０ａ´´）に衝突して引っ掛かりや絡まりを生じるのを防止して円滑な動作を保証することができ、それ故に、ＮＤフィルタ羽根４０の外輪郭を、光路の径を画定する地板１０の円形開口部１０ａに近い寸法まで小さくすることができ、ＮＤフィルタ羽根４０が後退位置にある状態での占有面積を小さくでき、装置全体としての小型化等を達成することができる。
【００２５】
電磁アクチュエータ５０は、図１に示すように、所定の角度範囲を回動するロータ５１、磁路を形成するヨーク５２、励磁用のコイル５３、押え板５４等を備えている。
ロータ５１は、ＮＤフィルタ羽根４０の駆動孔４２ｂに連結される駆動ピン５１ａ、円筒状のマグネット５１ｂ等を備え、地板１０の支軸１０ｂにより所定の角度範囲を回動自在に支持されている。
ヨーク５２は、略Ｕ字状に形成されて二つの磁極部がロータ５１の外周面に対向するように押え板５４の嵌合孔に嵌合されて固定されるように形成されている。
コイル５３は、押え板５４に一体形成されたボビン部分に巻回されている。
押え板５４は、ヨーク５２を嵌め込む嵌合孔、コイル５３を巻回するボビン部分を一体的に有すると共に、支軸１０ｂに嵌め込まれたロータ５１の抜け落ちを防止するように、地板１０の固定部１０ｄに固定されるようになっている。
【００２６】
次に、上記構成をなすカメラ用羽根駆動装置の組み立てについて、図８及び図９を参照しつつ説明する。
先ず、電磁アクチュエータ５０が地板１０の表側に取り付けられた状態において、図８（ａ）に示すように、一つの仕切板３０が取り付けられる。
続いて、図８（ｂ）に示すように、一つの仕切板３０上から、この仕切板３０に隣接するようにしてＮＤフィルタ羽根４０が取り付けられる。
続いて、図９（ｃ）に示すように、ＮＤフィルタ羽根４０の上から、他の仕切板３０が配置されて取り付けられる。
最後に、図９（ｄ）に示すように、仕切板３０の上から、裏板２０が取り付けられてネジＢにより地板１０に締結される。
このように、装置の組み付けに際しても、各々の部品を順次に重ね合わせるようにして取り付けていくことで、装置の組付けが完了するため、組付け作業を容易に行うことができる。
【００２７】
上記構成をなすカメラ用羽根駆動装置によれば、ＮＤフィルタ羽根４０が後退位置から作動位置に移動する際にオーバラン（過移動）して戻る場合には、ＮＤフィルタ羽根４０の後側外縁部４０ｂは開口部３０ａの内縁部（略Ｖ字状内縁部３０ａ´´）と（平行にならず）常に鋏状に交差する角度をなして後退移動するため、ＮＤフィルタ羽根４０の後側外縁部４０ｂが開口部３０ａの内縁部に衝突して引っ掛かりや絡まりを生じるのを防止して円滑な動作を保証することができ、それ故に、ＮＤフィルタ羽根４０の外輪郭を、光路の径を画定する地板１０の円形開口部１０ａに近い寸法まで小さくすることができる。これにより、ＮＤフィルタ羽根４０が後退位置にある状態での占有面積を小さくすることができ、装置全体としての小型化等を達成することができる。
特に、地板１０は、略円形の主外輪郭部１０ｍ及び凸状外輪郭部１０ｎを含むように形成されているため、ＮＤフィルタ羽根４０の後側外縁部４０ｂを凸状外輪郭部１０ｎに収めるようにして、その他の領域をより外径の小さい外輪郭とすることができ、装置全体として、より一層の小型化等を達成することができる。
【００２８】
上記実施形態においては、羽根部材として、ＮＤフィルタ羽根４０を採用し、ＮＤフィルタ羽根４０と仕切板３０との関係において、本発明を採用した場合を示したが、これに限定されるものではなく、羽根部材として、図１０（ａ），（ｂ）に示すように、円形開口部１０ａを開閉するシャッタ羽根１４０、あるいは、円形開口部１０ａよりも小さい口径をなす開口部２４０ｃを有するシャッタ羽根２４０を備えた構成において、本発明を採用してもよい。
このように、シャッタ羽根１４０や絞り羽根２４０において本発明を採用する場合にも、シャッタ羽根１４０や絞り羽根２４０の外輪郭を小さくでき、小型化、薄型化、軽量化、低コスト化等を達成できると共に、シャッタ羽根１４０や絞り羽根２４０の外縁部が開口部３０ａの内縁部と衝突して引っ掛かりや絡まりを生じるのを防止でき、円滑な動作を保証することができる。
上記実施形態においては、開口部を有する平板状部材として、開口部３０ａを有する仕切板３０を示したが、これに限定されるものではなく、仕切板３０の替わりに、中間板、カバー板、裏板等を適用してもよく、地板以外の部材で光路としての円形開口部を規定する場合には、平板状部材として地板を適用してもよい。
【産業上の利用可能性】
【００２９】
以上述べたように、本発明のカメラ用羽根駆動装置は、羽根部材の外輪郭が占める占有面積を小さくして、全体として、小型化、薄型化、軽量化、低コスト化等を達成しつつ、羽根部材が隣接する平板状部材（中間板、カバー板、仕切板等）の開口部（の内縁部）に対する羽根部材（の外縁部）の衝突、引っ掛かり、絡まり等を防止して、羽根部材（ＮＤフィルタ羽根、シャッタ羽根、絞り羽根等）を安定して作動させることができるため、近年の薄型化、小型化、高機能化等が要求されるカメラに適用できるのは勿論のこと、その他のカメラや光学機器においても有用である。
【符号の説明】
【００３０】
１０  地板
１０ａ  円形開口部
１０ｍ  主外輪郭部
１０ｎ  凸状外輪郭部
２０  裏板
２０ｍ  主外輪郭部
２０ｎ  凸状外輪郭部
３０  仕切板（平板状部材）
３０ａ  開口部
３０ａ´  円弧状内縁部
３０ａ´´  略Ｖ字状内縁部
４０  ＮＤフィルタ羽根
４０ａ  前側外縁部
４０ｂ  後側外縁部
４１  ＮＤフィルタ
４２  補強板
５０  電磁アクチュエータ（駆動源）
１４０  シャッタ羽根
２４０  絞り羽根
２４０ｃ  開口部
【図１】
0005922636.tif 000002
【図２】
0005922636.tif 000003
【図３】
0005922636.tif 000004
【図４】
0005922636.tif 000005
【図５】
0005922636.tif 000006
【図６】
0005922636.tif 000007
【図７】
0005922636.tif 000008
【図８】
0005922636.tif 000009
【図９】
0005922636.tif 000010
【図１０】
0005922636.tif 000011